(57)【要約】【課題】貼りスピードの上がるボトムリング式の糊塗布用具が使用可能で、それによって生産性を向上させたピロー形カートンを提供する。【解決手段】折目線を介して２つの主板１，２が連設され、これら各主板１，２の長手方向の両端部にはそれぞれ円弧状の折目線を介して紡錘形のフラップ３〜６が連設されるとともに、一方の主板１の幅方向側の端部には中央の折目線と平行な折目線を介して貼着片７を連設されたブランクからなり、他方の主板２に対して一方の主板１が折り曲げられ、一方の主板１に対して貼着片７が折り曲げられ、貼着片７が他方の主板２の表側にある糊塗布領域Ｎに接着されることで筒状となり、その状態で向かい合うフラップ同士を重なるように折り曲げることで組み立てられる。他方の主板２の長手方向の両端部に連設する各フラップ５，６には、他方の主板２の糊塗布領域Ｎがある側のコーナーを除去した形状の切欠部８，９が設けられている。【選択図】図５
2010052742.tif 000002
【特許請求の範囲】
【請求項１】
折目線を介して２つの主板が連設され、これら各主板の長手方向の両端部にはそれぞれ円弧状の折目線を介して紡錘形のフラップが連設されるとともに、一方の主板の幅方向側の端部には中央の折目線と平行な折目線を介して貼着片を連設されたブランクからなり、他方の主板に対して一方の主板が折り曲げられ、一方の主板に対して貼着片が折り曲げられ、貼着片が他方の主板の表側にある糊塗布領域に接着されることで筒状となり、その状態で向かい合うフラップ同士を重なるように折り曲げることで組み立てられるピロー形カートンであって、他方の主板の長手方向の両端部に連設する各フラップには、他方の主板の糊塗布領域がある側のコーナーを除去した形状の切欠部が設けられていることを特徴とするピロー形カートン。
【発明の詳細な説明】
【技術分野】
【０００１】
本発明は、板紙等からなるカートンの技術分野に属し、詳しくは、ファーストフードなどで販売されるパイやポテトスティックなどの食品直詰めに用いられるもので、その横断面が紡錘形をなすピロー形カートンに関するものである。
【背景技術】
【０００２】
従来、このようなピロー形カートンとして、図１に展開状態のブランクを平面図で、図２に組立完了状態を斜視図で示すような構造のカートンがある（特許文献１の第１図、特許文献２の図１３，１４等参照。）。
【０００３】
ブランクは板紙を打ち抜いたもので、図１に示すように、折目線ａを介して２つの主板１，２が連設され、これら各主板１，２の長手方向の両端部にはそれぞれ円弧状の折目線ｂ，ｃ，ｄ，ｅを介して紡錘形のフラップ３，４，５，６が連設されるとともに、一方の主板１の幅方向側の端部には中央の折目線ａと平行な折目線ｆを介して貼着片７が連設されている。フラップ５，６に設けた切欠５ａ，６ａは開封時に指先を引っ掛けるための孔を形成するためのものである。
【０００４】
図１に示すブランクを図２のピロー形カートンに組み立てるには、まず折目線ａを介して他方の主板２を一方の主板１上方に対向させ、次に折目線ｆを介して他方の主板２に折り曲げられる貼着片７を他方の主板２の表側に接着してサック貼り状態とする。次いで、円弧状の折目線ｃ，ｅを介してフラップ４，６を折り重ねることで保形性のあるカートンを形成し、中に物を入れてから、円弧状の折目線ｂ，ｄを介してフラップ３，５を同様に折り重ねることで蓋をする。
【０００５】
【特許文献１】実開昭５８−９８３０９号公報
【特許文献２】特開２００３−２５２３２３号公報
【発明の開示】
【発明が解決しようとする課題】
【０００６】
上記した従来のピロー形カートンは、図１の展開形状をしたブランクをサック貼り機ににかけ、貼着片７に糊付けしてから折り畳むことで製函する。具体的には、ブランクをその表側を下向きにして搬送しながら、まず上を向いた貼着片７の裏側に糊を付け、そのまま搬送しつつ折り畳んでサック貼りするようにしている。このとき糊付けは、貼着片７に対して上方のノズルから糊を吹き付けてパターン状に塗布するか、或いは、糊を付けたリングで上面から連続的に塗布する方法が採られている。しかしながら、このように上方からノズルで糊を吐出させる方法や、上側リング式の糊塗布用具で糊を塗布する方法では、糊垂れが発生して生産性が悪くなるという問題がある。また、ノズルで吹き付ける場合は、貼着片７の幅を広くとる必要がある。そこで、生産性を向上させる観点から、高速での糊の塗布ができるボトムリング式の糊塗布用具を使用することが望まれる。
【０００７】
ボトムリング式の糊塗布用具は、糊パンに入った糊にリングの下部を浸漬させ、回転するリングに付着した糊をドクターでその余分を掻き落としてから、リングの上部を走行するブランクに対し下側から糊を塗布する。このため、糊垂れの心配はないものの、サック貼り機において表側を下向きにして搬送されるブランクに対しては、貼着片７の裏側に糊を塗布することができないことから、貼着片７に対向する主板２の貼着部分に糊を塗布する必要がある。
【０００８】
ところが、ボトムリング式の糊塗布用具はリングに付けた糊を転移させる方式であるがゆえに、ブランクに対して連続したライン状にしか糊を塗布することができないので、主板２の貼着部分のみならず、それに連設したフラップ５，６の端にも糊が塗布されてしまい、その結果、サック貼り済みのものを積み重ねると、この露出した糊のところで互いに貼り付いて、一枚ずつ取れないという問題が生じる。これを防止するためには、糊剥離用の表面加工を施さなければならず、余計な工程が必要となる。
【０００９】
本発明は、このような問題点に鑑みてなされたものであり、その目的とするところは、貼りスピードの上がるボトムリング式の糊塗布用具が使用可能で、それによって生産性を向上させたピロー形カートンを提供することにある。
【課題を解決するための手段】
【００１０】
上記の目的を達成するため、本発明のピロー形カートンは、折目線を介して２つの主板が連設され、これら各主板の長手方向の両端部にはそれぞれ円弧状の折目線を介して紡錘形のフラップが連設されるとともに、一方の主板の幅方向側の端部には中央の折目線と平行な折目線を介して貼着片を連設されたブランクからなり、他方の主板に対して一方の主板が折り曲げられ、一方の主板に対して貼着片が折り曲げられ、貼着片が他方の主板の表側にある糊塗布領域に接着されることで筒状となり、その状態で向かい合うフラップ同士を重なるように折り曲げることで組み立てられるピロー形カートンであって、他方の主板の長手方向の両端部に連設する各フラップには、他方の主板の糊塗布領域がある側のコーナーを除去した形状の切欠部が設けられていることを特徴としている。
【発明の効果】
【００１１】
本発明のピロー形カートンは、組み立てる前のブランクの状態では、他方の主板の長手方向の両端部に連設した各フラップにコーナーを除去した形状の切欠部があり、それらの切欠部は他方の主板が貼着片と貼り合わせられる側にあるので、サック貼りする際に、ブランクを搬送しながらリングを押し当てて、他方の主板の表側の端縁に沿って糊を塗布したとしても、フラップに糊が付くことはなく、サック貼りしたものを積み重ねても互いに貼り付くようなことがないことから、貼りスピードの上がるボトムリング式の糊塗布用具の使用が可能となり、それによって生産性を向上させることができる。また、切欠部を形成するだけでよく、貼り付き防止のために糊剥離用の表面加工をする必要がない。
【発明を実施するための最良の形態】
【００１２】
次に、本発明の実施の形態について図面を参照しながら詳細に説明する。
【００１３】
図３は本発明に係るピロー形カートンを組み立てるブランクの平面図、図４は図３のブランクを組み立てたピロー形カートンの斜視図である。
【００１４】
ブランクは板紙を打ち抜いたものであり、その表側である図３に示すように、折目線ａを介して２つの主板１，２が連設され、これら各主板１，２の長手方向の両端部にはそれぞれ円弧状の折目線ｂ，ｃ，ｄ，ｅを介して紡錘形のフラップ３，４，５，６が連設されるとともに、一方の主板１の幅方向側の端部には中央の折目線ａと平行な折目線ｆを介して貼着片７が連設されている。
【００１５】
そして、他方の主板２の長手方向の両端部に連設する各フラップ５，６には、貼着片７と反対側のコーナーを除去した形状の切欠部８，９が設けられている。また、フラップ５，６の端縁側の中央には半円状の切欠５ａ，６ａが設けられており、これは開封時に指先を引っ掛けるための孔を形成するためのもので、必要に応じて設ければよい。
【００１６】
図４のピロー形カートンを組み立てるには、図３の展開形状をしたブランクをまずサック貼り機にかけ、図５に示すように、他方の主板２の表側の端縁に沿った糊塗布領域Ｎに糊を塗布してから折り畳むことで図６に示すようなサック貼り状態とする。このとき、図７に示すようなボトムリング式の糊塗布用具を使用する。
【００１７】
このボトムリング式の糊塗布用具は、糊パン１１に入った糊Ｇにリング１２の下部を浸漬させ、回転するリング１２に付着した糊をドクター１３でその余分を掻き落としてから、リング１２の上部をコロ１４に押されて走行するブランクＢに対し、下側から糊を連続したライン状に塗布するようになっている。リング１２とドクター１３の位置関係は図８に示すようであり、図示の如くドクター１３の溝にリング１２が入り込んだ状態でリング１２が回動することにより、リング１２の先端面に糊が付いた状態とし、ブランクＢに対してライン状に塗布するようになっている。
【００１８】
このように、ブランクＢをその表側を下向きにして搬送しながら糊を塗布するので、上方からノズルで糊を吐出させる方法や、上側リング式の糊塗布用具で糊を塗布する方法を用いたときのような糊垂れの心配はない。また、他方の主板２の端縁に沿って連続したライン状に糊を塗布しても、その両端部に連設する各フラップ５，６にはリングが通るところにコーナーを除去した形状の切欠部８，９があるので、図５に示す如く他方の主板２の長手方向の両端部に連設する各フラップ５，６に糊が付くようなことはない。したがって、サック貼りしたブランクを積み重ねても互いにくっ付くようなことはない。
【００１９】
サック貼りしたブランクは、店頭において従来のものと同様にして組み立てられる。すなわち、円弧状の折目線ｃ，ｅを介してフラップ４，６を折り重ねることで保形性のあるカートンを形成し、中に物を入れてから、円弧状の折目線ｂ，ｄを介してフラップ３，５を同様に折り重ねることで蓋をする。
【００２０】
このようにして組み立てた図４のピロー形カートンは、他方の主板２に対して一方の主板１が折り曲げられ、一方の主板１に対して貼着片７が折り曲げられ、貼着片７が他方の主板２の表側にある糊塗布領域Ｎに接着されることで筒状になっており、向かい合うフラップ同士を重なるように折り曲げられたものになっている。そして、他方の主板２の長手方向の両端部に連設する各フラップ５，６には、他方の主板２の糊塗布領域Ｎがある側のコーナーを除去した形状の切欠部８，９が設けられているが、切欠部８，９のあるフラップ５，６はフラップ３，４の内側に隠れるので、切欠部８，９は外から見えない状態となる。
【００２１】
以上、本発明の実施の形態について詳細に説明してきたが、本発明によるピロー形カートンは、上記実施の形態に何ら限定されるものではなく、本発明の趣旨を逸脱しない範囲において種々の変更が可能であることは当然のことである。
【図面の簡単な説明】
【００２２】
【図１】従来のピロー形カートンを組み立てるブランクの平面図である。
【図２】図１に示す紙容器を組み立てるブランクシートの展開図である。
【図３】本発明に係るピロー形カートンを組み立てるブランクの平面図である。
【図４】図３のブランクを組み立てたピロー形カートンの斜視図である。
【図５】図３のブランクに糊塗布領域を図示した平面図である。
【図６】図５のブランクをサック貼りしたものを示す平面図である。
【図７】ボトムリング式の糊塗布用具の概略図である。
【図８】図７のボトムリング式の糊塗布用具におけるリングとドクターの位置関係を示す説明図である。
【符号の説明】
【００２３】
１，２  主板
３，４，５，６  フラップ
５ａ，６ａ  切欠
７  貼着片
８，９  切欠部
１１  糊パン
１２  リング
１３  ドクター
１４  コロ
ａ〜ｆ  折目線
Ｂ  ブランク
Ｇ  糊
Ｎ  糊塗布領域
【図１】
2010052742.tif 000003
【図２】
2010052742.tif 000004
【図３】
2010052742.tif 000005
【図４】
2010052742.tif 000006
【図５】
2010052742.tif 000007
【図６】
2010052742.tif 000008
【図７】
2010052742.tif 000009
【図８】
2010052742.tif 000010